(57)【特許請求の範囲】
【請求項１】
取付面に取付可能な器具本体と、
前記器具本体の口金部に接続されるランプと、
前記ランプを覆うように前記器具本体に取り付けられるグローブとを備える照明器具であって、
前記ランプのバルブ部の長さが口金部の長さよりも長いとともに、
前記ランプの全長が前記グローブの高さよりも長く、
前記取付面に対して前記バルブ部の軸線が傾斜するように前記ランプが配向され、
前記バルブ部の軸線に対して平行な反射板が前記器具本体と前記バルブ部との間に設けられ、
前記反射板の厚み方向に沿った前記反射板の平面形状および平面積が、前記バルブ部の軸線に対して直交する方向から見た前記バルブ部の輪郭形状に対して相似形状および略同一面積であるとともに、
前記バルブ部の軸線に対して直交する方向に沿って前記器具本体側から見て前記バルブ部が遮蔽されるように配置されていることを特徴とする照明器具。
【発明の詳細な説明】
【技術分野】
【０００１】
本発明は照明器具に係り、例えば、グローブの表面全域、特にグローブの下面から略均一に照明光を出射することができる照明器具に関する。
【背景技術】
【０００２】
例えば、建物の天井に設置される照明器具は、取付面である天井面に取付可能な器具本体と、器具本体の口金部に接続されるランプと、ランプを覆うように器具本体に取り付けられるグローブとを備える。このような照明器具は、グローブの表面全域、特にグローブの下面から略均一に照明光が出射することが望ましい。ところで、近年、ランプとしては、互いに平行な複数の発光管を有するバルブ部と、バルブ部を支持するとともに器具本体に設けられたソケット部に接続される口金部とを有するコンパクト蛍光灯などの蛍光灯が知られている（例えば、特許文献１参照）。このようなランプは、発光管の周面からの発光が強く、反面、発光管の端面からの発光が弱く、いわゆる発光指向性が強いという特徴がある。
【特許文献１】特開２００５−３１０３９３号公報
【発明の開示】
【発明が解決しようとする課題】
【０００３】
このようなランプを前述した照明器具に用いる場合、従来の白熱灯に比較して強い発光指向性を考慮してバルブ部を下方に、口金部を上方に向けて配向すると、ランプを覆うグローブの高さを小さくできないため、照明器具を小型化できないという不都合がある。また、前述したランプを取付面に対して平行に配向すると、強い発光指向性によりグローブの表面全域から均一に照明光が出射せず、照明ムラが生じるという不都合があった。
【０００４】
本発明は、前述した不都合を解消するためになされたものであり、その目的は、発光指向性が強いランプを用いても、グローブの表面全域、特にグローブの下面から略均一に照明光が出射する照明器具を提供することにある。
【課題を解決するための手段】
【０００５】
前述した目的を達成するために、本発明は、取付面に取付可能な器具本体と、前記器具本体の口金部に接続されるランプと、前記ランプを覆うように前記器具本体に取り付けられるグローブとを備える照明器具であって、前記ランプのバルブ部の長さが口金部の長さよりも長いとともに、前記ランプの全長が前記グローブの高さよりも長く、前記取付面に対して前記バルブ部の軸線が傾斜するように前記ランプが配向され、前記バルブ部の軸線に対して平行な反射板が前記器具本体と前記バルブ部との間に設けられ、前記反射板の厚み方向に沿った前記反射板の平面形状および平面積が、前記バルブ部の軸線に対して直交する方向から見た前記バルブ部の輪郭形状に対して相似形状および略同一面積であるとともに、前記バルブ部の軸線に対して直交する方向に沿って前記器具本体側から見て前記バルブ部が遮蔽されるように配置されていることを特徴としている。
【０００６】
このように構成された照明器具においては、バルブ部の長さが口金部の長さよりも長く、かつ、グローブの高さよりもランプの全長が長いランプを、取付面に対して傾斜するように器具本体に取り付けたので、照明器具の高さを抑制して小型化することができる。これによって、例えば、天井などに設置した場合、取付面からの突出寸法が小さく、機能、外観共に優れた薄型の照明器具とすることができる。また、器具本体と前記バルブ部との間に、バルブ部の軸線に対して平行に反射板を設けたので、グローブの表面全域、特にグローブの下面から略均一に照明光を出射させることができ、水平面照度に特化した配光が得られる。
【０００７】
従って、この照明器具においては、発光指向性が強いランプを用いても、従来のような照明器具が大きくなったり、グローブの表面全域から均一に照明光を出射できずに照明ムラが生じるという問題を解消できることになる。
【０００９】
また、上記のように構成された照明器具においては、反射板の平面形状および平面積が、バルブ部の輪郭形状に対して相似形状および略同一面積であり、器具本体側から見てバルブ部が遮蔽されるように配置されているので、バルブ部から上方（グローブと反対方向）に出射された光が、反射板で反射されてグローブの下面に集中される。これによって、グローブからの照明光を略均一に出射させて、照明ムラのない水平面照度を行うことができる。
【発明の効果】
【００１０】
本発明によれば、従来のように照明器具が大きくなったり、グローブの表面全域から均一に照明光を出射できずに照明ムラが生じるという問題を解消でき、これにより、発光指向性が強いランプを用いても、グローブの表面全域、特にグローブの下面から略均一に照明光を出射させることができるという効果が得られる。
【発明を実施するための最良の形態】
【００１１】
（第１実施形態）
以下、本発明に係る実施形態を図面に基づいて詳細に説明する。図１は本発明に係る第１実施形態を示す照明器具の斜視図、図２は図１に示す照明器具の分解斜視図、図３は図１に示す照明器具の縦断面図、図４はランプと反射板の位置関係を示し、（ａ）は側面図、（ｂ）は下面図、図５はランプの発光管の間隔と反射板までの距離の関係を示す図４におけるＡ矢視図、図６は反射板で反射された照明光が発光管の隙間から出射される状態を示す図４におけるＡ矢視図である。
【００１２】
図１から図３に示すように、本発明の第１実施形態である照明器具１０は、器具本体１１と、ランプ１２と、グローブ１３とを備える。器具本体１１は、例えば、金属板によって形成されて、建物の天井などの取付面に取り付けられる取付板１４と、該取付板１４の適所に固定された安定器１５と、制御ブロック１６と、ランプソケット１７と、センサ支持具１８と、略円筒状に形成されて取付板１４などを内側に収容する側板１９とを備える。
【００１３】
安定器１５はランプ１２に安定した電力を供給する。制御ブロック１６は、センサ支持具１８に配設された人感センサ２０からの信号に基づいて、ランプ１２を点灯／消灯させるなどの各種制御を行う。人感センサ２０は、略Ｕ字型のセンサ支持具１８の下端部に配設されており、リング状のパッキン２２を介してグローブ１３の中央に設けられたセンサ孔２１に取り付けられた、例えば、赤外線センサであり、照明器具１０近傍の人間の存在を感知して感知信号を制御ブロック１６に出力する。ランプソケット１７は所定の角度（例えば、１５°）で取付板１４に固定されており、ランプ１２を取付板１４に対して１５°傾けた状態で支持する。
【００１４】
ランプ１２は、口金部１２ａと、該口金部１２ａに設けられた複数本（図に示す実施形態では６本）の発光管１２ｂからなるバルブ部１２ｃとを備えた、例えば、コンパクト蛍光灯である。図２に示すように、ランプ１２は、バルブ部１２ｃの長さＬ１と、口金部１２ａの長さＬ２との比が１１：５であり、ランプ１２の全長Ｌ（バルブ部１２ｃの長さＬ１＋口金部１２ａの長さＬ２）とグローブ１３の高さＨとの比が２：１となっている。このようなランプ１２は、口金部１２ａがランプソケット１７に装着されたとき、ランプ１２の軸線ＣＬと取付板１４とが１５°傾いた状態で取り付けられる。
【００１５】
また、器具本体１１とバルブ部１２ｃとの間には、バルブ部１２ｃの軸線ＣＬに対して平行に、反射板２３が取付板１４に取り付けられている。反射板２３は、少なくともバルブ部１２ｃに対向する面が鏡面とされた平板であり、バルブ部１２ｃから出射された照明光を反射する。
【００１６】
図４に示すように、反射板２３の平面形状および平面積は、バルブ部１２ｃの軸線ＣＬに対して直交する方向から見たバルブ部１２ｃの輪郭形状に対して相似形状および略同一面積である。換言すれば、バルブ部１２ｃの長さＬ１と略同じ長さＬＡ、バルブ部１２ｃの幅Ｗと略同じ幅ＷＡを有する長方形平板状に形成されている。これにより、反射板２３を極小化して照明器具１０を安価に製作することができる。また、反射板２３の端部の影がグローブ１３に写り難い。
【００１７】
また、図５に示すように、ランプ１２が互いに平行な複数の発光管１２ｂを有する場合、発光管１２ｂの接線間寸法Ｂと、発光管１２ｂの上面と反射板２３の反射面との離間寸法Ｃとの比が、１４：１５となるように配置される。これにより、発光管１２ｂから上方に出射された照明光は、反射板２３で反射されて発光管１２ｂの隙間を通る光路Ｄ、Ｅから下方に効率的に出射する。
【００１８】
グローブ１３は、例えば、透光性を有する乳白色の合成樹脂、或いは擦りガラスで略円筒状に成形されており、ランプ１２を覆うように器具本体１１の下部に取り付けられる。グローブ１３の下面１３ａは、略２０００ｍｍの曲率半径で下方に膨出する球面形状となっている。
【００１９】
このような照明器具１０は、バルブ部１２ｃ（発光管１２ｂ）から下方または側方に向かって出射した照明光は直接、グローブ１３に達し、またバルブ部１２ｃから上方に向かって出射した照明光は、発光管１２ｂと平行に配置された反射板２３で反射されてグローブ１３に達する。これにより、グローブ１３から均一に照明光が出射されると共に、バルブ部１２ｃから出射した照明光は無駄なく照明に使用される。即ち、図３に示すように、２点鎖線で示されるランプ１２の上方及び下方の２つのランプ配光曲線２５、２６は、略垂直方向（厳密には、１５°）に位置しており、均一に光が出射される。
【００２０】
また、図６に示すように、６角形の各頂点に６本の発光管１２ｂがそれぞれ配置されたコンパクト蛍光灯を備える照明器具１０を用い、互いに対向する発光管１２ｂの中心を結ぶ線ＣＣの長さが最長となる一対の発光管１２ｂを水平方向に向けて配置した場合、反射板２３に近接して配置された２本の発光管１２ｂの上面と、反射板２３の反射面との離間距離Ｘは、５〜９ｍｍの範囲に設定するのが好ましい。離間距離Ｘを５〜９ｍｍに設定することにより、発光管１２ｂの中心よりも側方から上方に向かって出射されて反射板２３で反射される照明光は、光路Ｆを通って効率よく発光管１２ｂ間の隙間を通り抜けて下方に照射される。これにより、複数の発光管１２ｂを備える従来の照明器具は、下部に配置された発光管１２ｂの影がグローブ１３に写し込まれる場合があるが、本実施形態の照明器具１０によれば、発光管１２ｂの影が目立ち難く、グローブ１３から略均一の明るさの照明光を出射することができる。
【００２１】
前述した照明器具１０によれば、複数本の発光管１２ｂが互いに平行に配置されたコンパクト蛍光灯などの発光指向性が強いランプ１２を水平方向に向けて設置しても、グローブ１３の表面全域、特にグローブ１３の下面１３ａから略均一に照明光を出射させることができ、水平面照度を効率的に確保することができる。また、照明器具１０の高さを低くして小型化を図ることができ、限られたスペースに設置することができる。
【００２２】
（第２実施形態）
図７に示す本発明の第２実施形態である照明器具について説明する。第２実施形態の照明器具３０は、取付板に対するランプ及び反射板の取付角が２０°に設定されている以外は、第１実施形態の照明器具１０と同様であるので、同一部分には同一符号または相当符号を付して説明を省略する。
【００２３】
図７に示すように、第２実施形態の照明器具３０は、ランプソケット１７及び反射板２３が、取付板１４に対して２０°傾けられて取り付けられている。従って、ランプソケット１７に装着されるランプ１２と反射板２３との挟み角は、２０°となる。本実施形態の照明器具３０によると、図中、２点鎖線で示されるランプ１２の上方及び下方の２つのランプ配光曲線２５、２６は、垂直線に対して２０°傾斜しているので、図３に示す第１実施形態の照明器具１０と比較すると、やや照明ムラが発生するが、実用的に問題のない範囲でグローブ１３の下面１３ａから略均一に照明光が出射される。
その他の作用、効果は、第１実施形態の照明器具１０と同様であるので、説明を省略する。
【００２４】
（第３実施形態）
次に、６本の発光管１２ｂを有するランプ１２が、バルブ部１２ｃの軸線ＣＬを中心として回転配置された各実施例について説明する。図８に示す第３実施形態の照明器具は、反射板に対する６本の発光管の位相が異なる以外は、図６に示す第１実施形態の照明器具１０と同様であるので、同一部分には同一符号または相当符号を付して説明を省略する。
【００２５】
図８に示すように、本実施形態のランプ１２は、互いに対向する発光管１２ｂの中心を結ぶ線ＣＣの長さが最長となる一対の発光管１２ｂが垂直方向に向けて配置されている。このときの反射板２３と発光管１２ｂとの距離Ｘは、８．５〜１０．５ｍｍの範囲に設定するのが好ましい。離間距離Ｘを８．５〜１０．５ｍｍに設定することにより、発光管１２ｂの中心よりも側方から上方に向かって出射されて反射板２３で反射される照明光は、光路Ｆを通って効率よく発光管１２ｂ間の隙間を通り抜けて下方に照射される。これにより、下部に配置された発光管１２ｂの影が目立ち難く、グローブ１３から略均一の明るさの照明光を出射することができる。
その他の作用、効果は、第１実施形態の照明器具１０と同様であるので、説明を省略する。
【００２６】
（第４実施形態）
図９に示す本発明の第４実施形態である照明器具について説明する。図９に示す第４実施形態の照明器具は、反射板に対する６本の発光管の位相が異なる以外は、図８に示す第３実施形態の照明器具と同様であるので、同一部分には同一符号または相当符号を付して説明を省略する。
【００２７】
第４実施形態のランプ１２は、図９に示すように、互いに対向する発光管１２ｂの中心を結ぶ線ＣＣの長さが最長となる一対の発光管１２ｂが、垂直に対して４５°傾斜して配置されている。
【００２８】
このときの反射板２３と発光管１２ｂとの距離Ｘは、５．５〜１１ｍｍの範囲に設定するのが好ましい。離間距離Ｘを５．５〜１１ｍｍに設定することにより、発光管１２ｂの中心よりも側方から上方に向かって出射されて反射板２３で反射される照明光は、光路Ｆを通って効率よく発光管１２ｂ間の隙間を通り抜けて下方に照射される。これにより、下部に配置された発光管１２ｂの影が目立ち難く、グローブ１３から略均一の明るさの照明光を出射することができる。
その他の作用、効果は、第１実施形態の照明器具１０と同様であるので、説明を省略する。
【００２９】
（第５実施形態）
次に、図１０に示す本発明の第５実施形態である照明器具について説明する。第５実施形態の照明器具は、反射板の幅が図４に示す第１実施形態の照明器具１０と異なる以外は同様であるので、同一部分には同一符号または相当符号を付して説明を省略する。
【００３０】
図１０に示すように、第５実施形態の照明器具は、反射板２３の幅ＷＡが、バルブ部１２ｃの幅Ｗの２倍に設定されて（ＷＡ＝２×Ｗ）、長さＬＡはバルブ部１２ｃの長さＬ１と略同じ長さとなっている。本実施形態の照明器具によれば、発光管１２ｂから斜め上方に出射された照明光も反射板２３で反射することができ、グローブ１３から略均一の明るさの照明光を出射することができる。
その他の作用、効果は、第１実施形態の照明器具１０と同様であるので、説明を省略する。
【００３１】
なお、本発明の照明器具は、前述した各実施形態に限定されるものでなく、適宜な変形，改良等が可能である。
例えば、前述した各実施形態において、ランプとして直管部を有する蛍光灯を例示したが、本発明のランプは白熱灯であってもフィラメントが縦に長く配置されたものであれば適用可能であり、同様の効果を奏する
【００３２】
その他、前述した各実施形態において例示した器具本体、ランプ、グローブ、バルブ部、口金部、反射板等の材質，形状，寸法，形態，数，配置個所等は本発明を達成できるものであれば任意であり、限定されない。
【図面の簡単な説明】
【００３３】
【図１】本発明に係る第１実施形態の照明器具の斜視図である。
【図２】図１に示す照明器具の分解斜視図である。
【図３】図１に示す照明器具の縦断面図である。
【図４】ランプと反射板の位置関係を示し、（ａ）は側面図、（ｂ）は下面図である。
【図５】ランプの発光管の間隔と反射板までの距離の関係を示す図４におけるＡ矢視図である。
【図６】反射板で反射された照射光が発光管の隙間からグローブに照射される状態を示す図４におけるＡ矢視図である。
【図７】本発明に係る第２実施形態の照明器具の縦断面図である。
【図８】本発明に係る第３実施形態のランプと反射板の位置関係を示す図６相当図である。
【図９】本発明に係る第４実施形態のランプと反射板の位置関係を示す図６相当図である。
【図１０】本発明に係る第５実施形態のランプと反射板の位置関係を示し、（ａ）は側面図、（ｂ）は下面図である。
【符号の説明】
【００３４】
１  取付面
１０  照明器具
１１  器具本体
１２  ランプ
１２ａ  口金部
１２ｂ  発光管
１２ｃ  バルブ部
１３  グローブ
１７  ランプソケット
２３  反射板
３０  照明器具
ＣＬ  バルブ部の軸線
Ｈ  グローブの高さ
Ｌ１  バルブ部の長さ
Ｌ２  口金部の長さ
Ｌ  ランプの全長
【図１】
0004919506.tif 000002
【図２】
0004919506.tif 000003
【図３】
0004919506.tif 000004
【図４】
0004919506.tif 000005
【図５】
0004919506.tif 000006
【図６】
0004919506.tif 000007
【図７】
0004919506.tif 000008
【図８】
0004919506.tif 000009
【図９】
0004919506.tif 000010
【図１０】
0004919506.tif 000011